(57)【要約】 【課題】メダルやオブジェや商品などの貴重物品を、より魅力的に華やかに魅せる小型な装飾装置で、特に新しい演出法により一層際立ち汎用性が高く手軽な花飾体を提供することを目的とするものである。挿花リース２８を形成して、表彰力や商品存在価値を一層際立たせる新スタイルでかつ小型の花飾体３４による演出具が求められていた。【解決手段】葉や茎や花弁からなる挿花１を様々な挿花リース２８として形成し、花飾基盤２の表裏や外部周辺に取付け一体装着または懸吊させて、主体物としての装着物２３をより華やかに演出し、存在価値を高める花飾体３４とする。【選択図】  図１５
2018071029.tif 000002
【特許請求の範囲】
【請求項１】
挿花リース２８と花飾基盤２と装着物２３からなる花飾体３４であって、
（１）挿花リース２８は花弁および／または葉茎を有し、
（２）花飾基盤２は合成樹脂製および／またはガラス製で、表盤３と表盤３よりひと回り小さい裏盤４との間は仕切られており、表盤３と裏盤４との間に外周溝１２を共有し、該外周溝１２に挿花リース２８が取付けられ、
（３）花飾基盤２の表裏および／または周囲に１つ以上の装着物２３が装着または懸吊されていることを特徴とする花飾体３４。
【請求項２】
表盤３より径が大きく裏盤４の受け皿となる裏基盤３１を有することを特徴とする請求項１記載の花飾体３４。
【請求項３】
花飾基盤２の上端部のフック穴１４に、リボンフック６と懸吊金具２９により、花飾基盤２とメダル５と首掛けリボン９を着脱自在に懸吊させたことを特徴とする請求項１および２のいずれか１項に記載の花飾体３４。
【請求項４】
花飾基盤２の裏盤凹部１１の内壁または外周に、LED発光テープ３０を１重または多重巻きに装着したこと特徴とする請求項１、２および３のいずれか１項に記載の花飾体３４。                    
【請求項５】
挿花リース２８が花飾基盤２の外周溝１２に沿って捻り巻き付けてなるナチュラルリース体１６としたことを特徴とする請求項１、２、３および４のいずれか１項に記載の花飾体３４。
【請求項６】
多数突起２０を円周上に有するリング８の円周上に挿花１の花梗部１５を差し込み、花飾基盤２の外周溝１２に嵌合させてリングリース体２７としたことを特徴とする、請求項１、２、３、４および２５のいずれか１項に記載の花飾体３４。
【請求項７】
首掛けリボン９で懸吊した花飾基盤２に装着物２３を装着し、下方にも装着物２３を懸吊したことを特徴とする、請求項１、２、３、４、５および６ のいずれか１項に記載の花飾体３４。
【請求項８】
挿花１を多数本植えつけた、フェノール系樹脂、ウレタン系樹脂または酢酸系樹脂粘土２４を、花飾基盤２の外周溝１２に嵌合装着してなるドーナツリース体１３としたことを特徴とする、請求項１、２、３、４、６ および７のいずれか１項に記載の花飾体３４。
【請求項９】
花飾基盤２の裏盤凹部１１において、フェノール系樹脂、ウレタン系樹脂または酢酸系樹脂粘土２４に挿花１を多数本植え込みコサージ盛花２１として形成し、懸吊金具２９により、花飾基盤２の下部に、装着物２３としてのメダル５、フィギュアまたはマスコットを懸吊したことを特徴とする、請求項１、２、３、４、５、６ 、７および７８のいずれか１項に記載の花飾体３４。
【請求項１０】
裏盤凹部１１の空間域１９に、中空遊吊物１７としてのメダル５または菓子缶３５を花飾基盤２の上部より懸吊金具２９で着脱自在に懸吊したことを特徴とする、請求項１、２、３、４、５、６、７、８および９ のいずれか１項に記載の花飾体３４。
【請求項１１】
首掛けリボン９が交差する下方重複部分に鳩目穴を設け、挿花リース２８中央部にコサージ盛花２１を形成した花飾基盤２を、裏面よりリボン押盤２２で挟み、挟み捻子１８で係止し、下部はフック穴１４に懸吊金具２９を取付け、装着物２３としてメダル５またはマスコットを懸吊した、請求項１、２、３、４、５、６、７ 、８、９および１０のいずれか１項に記載の花飾体３４。
【請求項１２】
花飾基盤２の裏盤凹部１１に、装着物２３としての吸着コサージ26を吸着盤３３により吸着させたことを特徴とする、請求項１、２、３、４、５、６、７ 、８、９、１０および１１のいずれか１項に記載の花飾体３４。
【発明の詳細な説明】
【技術分野】
【０００１】
様々な形状の挿花１を用いて演出すべき花飾基盤２の上にオブジェやメダルや商品などの貴重な装着物２３をより華やかに魅せる新しいスタイルの演出具として花飾体３４を提供することを目的とする。  
【背景技術】
【０００２】
今東西において、挿花を用いて客体物を演出したり価値を高めたりする方法や手段には様々なものがあった。従来、造花や生花を用いた装飾品として、例えば、特許文献１記載の技術が知られている。  
【先行技術文献】
【特許文献】
【０００３】
【特許文献１】特開2016-043104号公報
【発明の概要】
【発明が解決しようとする課題】
【０００４】
メダルやオブジェや商品などの貴重物品を、より魅力的に華やかに魅せる小型な装飾装置で、特に新しい演出法により一層際立ち汎用性が高く手軽な花飾体を提供することを目的とするものである。
【課題を解決するための手段】
【０００５】
〔発明１〕  本発明の目的を達成するために、発明１の花飾体３４は、挿花リース２８と花飾基盤２と装着物２３からなる花飾体３４であって、（１）挿花リース２８は花弁および／または葉茎を有し、（２）花飾基盤２は合成樹脂製および／またはガラス製であり、表盤３と表盤３よりひと回り小さい裏盤４の間は仕切られており、表盤３と裏盤４との間に外周溝１２を共有し、該外周溝１２に挿花リース２８が取付けられ、（３）花飾基盤２の表裏および／または周囲に１つ以上の装着物２３が装着または懸吊されていることを特徴とする。
ここで挿花とは、草花を器に挿す全ての行為と、挿されたモノの総称であり、またリースとは、花や葉や木の実などの植物素材を円形状に加工したものである。
またここで装着物とは、花飾基盤に装着または懸吊される装着物として演出すべきメダルやオブジェやキャラクターや商品などの比較的小さい貴重品で主役となる物品のことである。そしてここでコサージ盛花とは、挿花リースの装着物として花飾基盤の中央に装着される挿花の複合的な花の塊で、その外形寸法は概ね５ｃｍから３０ｃｍ程度である。
【０００６】
〔発明２〕  さらに、発明２の花飾体３４は、発明１の花飾体３４において、表盤３より径が大きく裏盤４の受け皿となる裏基盤３１を有することを特徴とする。
【０００７】
〔発明３〕  さらに、発明3の花飾体３４は、発明１、２の花飾体３４において、上端部にフック穴１４を設けて、リボンフック６または懸吊金具２９により首掛けリボン９または首掛けレイで、花飾基盤２とメダル５を着脱自在に懸吊させたことを特徴とする。
【０００８】
〔発明４〕  さらに、発明4の花飾体３４は、発明１、２、３の花飾体３４において、花飾基盤２の裏盤凹部１１の内壁または外周に、LED発光テープ３０を１重または多重巻きに装着したこと特徴とする。
【０００９】
〔発明５〕  さらに、発明5の花飾体３４は、発明１、２、３,４の花飾体３４において、
挿花リース２８が花飾基盤２の外周溝１２に沿って捻り巻き付けてなるナチュラルリース体１６としたことを特徴とする。
【００１０】
〔発明６〕  さらに、発明6の花飾体３４は、発明１、２、３,４、５の花飾体３４において、多数突起２０を円周上に有するリング８の円周上に挿花１の花梗部１５を差し込み、花飾基盤２の外周溝１２に嵌合させてリングリース体２７としたことを特徴とする。
【００１１】
〔発明７〕  さらに、発明7の花飾体３４は、発明１、２、３、４、５、６の花飾体３４において、首掛けリボン９で懸吊した花飾基盤２に装着物２３を装着し、下方にも装着物２３を懸吊したことを特徴とする.
【００１２】
〔発明８〕  さらに、発明8の花飾体３４は、発明１、２、３、４、６ 、７の花飾体３４において、挿花１を多数本植えつけた、フェノール系樹脂、ウレタン系樹脂または酢酸系樹脂粘土２４を、花飾基盤２の外周溝１２に嵌合装着してなるドーナツリース体１３として形成したことを特徴とする。
【００１３】
〔発明９〕  さらに、発明9の花飾体３４は、発明１、２、３、４、５、６ 、７、８の花飾体３４において、花飾基盤２の裏盤凹部１１の内部に、フェノール系樹脂、ウレタン系樹脂または酢酸系樹脂粘土２４に挿花１を多数本植え込みコサージ盛花２１として形成し、懸吊金具２９により、花飾基盤２の下部に、装着物２３としてのメダル５やフィギュアまたはマスコットを懸吊したことを特徴とする。
【００１４】
〔発明１０〕  さらに、発明1０の花飾体３４は、発明１、２、３、４、５、６、７ 、８、９ の花飾体３４において、裏盤凹部１１の空間域１９に、中空遊吊物１７としてのメダル５または菓子缶３５を花飾基盤２の上部より懸吊金具２９で着脱自在に懸吊したことを特徴とする
【００１５】
〔発明１１〕さらに、発明11の花飾体３４は、発明１、２、３、４、５、６、７ 、８、９、１０ の花飾体３４において、首掛けリボン９が交差する下方重複部分に鳩目穴を設け、挿花リース２８の中央部にコサージ盛花２１を形成した花飾基盤２を、裏面よりリボン押盤２２で挟み、挟み捻子１８で係止し、下部はフック穴１４に懸吊金具２９を取付け、装着物２３としてメダル５またはマスコットを懸吊したことを特徴とする。
【００１６】
〔発明１２〕  さらに、発明12の花飾体３４は、発明１、２、３、４、５、６、７ 、８、９、１０、１１の花飾体３４において、より大きなコサージ盛花とすべく、花飾基盤２に設けた挿花リース２８の中央部の裏盤凹部１１に、装着物２３としての吸着コサージ26を吸着盤３３により吸着させたことを特徴とする。
【発明の効果】
【００１７】
発明１の花飾体３４によれば、花飾体３４が挿花１と挿花リース２８と花飾基盤２との視覚的相乗効果により様々な装着物２３が、より華やかな存在価値を高めた宣伝効果を提供することができる。
【００１８】
なお、図１４Aのアンケート結果の如く、各種の文化賞授与式や競技表彰式などにおいて、花飾体３４を授賞者に対する首掛けリボン９のメダル５の授与儀式において、観客層にも更なる鮮明な表彰の演出効果が提供できる。
【００１９】
また、図１４Ｂのアンケート結果の如く、オブジェや縫いぐるみやキャラクターにおいては、 花飾体３４の花飾基盤２の挿花１と挿花リース２８で装着物２３の設置周囲の花飾りがバック空間やステージ空間となり、装着物２３が鮮やかに浮き彫りとなり、アピアランスとディスプレー展示効果が提供できる。  
【００２０】
そして、図1４Cのアンケート結果の如く、全国各地の観光土産品の売場において、花飾基盤２に設置された商品の装着物２３の価値と、花飾体３４の展示力とが相乗効果を生み、販促効果を提供できる。
【図面の簡単な説明】
【００２１】
【図１】Ａ：挿花１の躯体となる、浅い複合容器の花飾基盤２の表盤３とその表盤凹部１０の斜視図  Ｂ：花飾基盤２の裏盤４と表盤３の外周面に外周溝１２を共有した斜視図  Ｃ：花飾基盤２の裏面から挿花リース２８を外周溝１２に嵌合取付けした裏面図。
【図２】Ａ：花飾基盤２より径が大きい裏基盤３１との比較斜視図  Ｂ：裏盤４と裏基盤３１との円周間隙に樹脂粘土２４を封入した後、挿花１を円周間隙に多数植え込み、挿花リース２８を形成させる途中の参考図
【図３】Ａ：飾基盤２の上端部のフック穴１４に、リボンフック６と懸吊金具２９により、花飾基盤２とメダル５と首掛けリボン９を着脱自在に懸吊させた正面図  Ｂ：３Ａの背面図。
【図４】Ａ：花飾基盤２の裏盤凹部１１の内壁または外周溝１２にLED発光テープ３０を１重または多重に巻き込み、リード電線３２を取りつけた花飾基盤２の平面図、Ｂ：LED発光テープ３０を１２Ｖで発光させた花飾基盤２の平面図  Ｃ：LED発光テープ３０を１２Ｖ電源で発光させ、挿花リース２８を外周溝１２に嵌合させて、装着物２３としての土産品をライトアップさせた参考斜視図。
【図５】Ａ：花飾基盤２の外周に沿って捻り巻き付けたナチュラルリース体１６により、挿花リース２８を形成した正面図、Ｂ：図5Ａの背面図。
【図６】Ａ：リング８の円周上に設けた多数突起２０に挿花１の花梗部１５を取り付けて花飾基盤２に嵌合前の挿花リース２８の単体図、Ｂ：挿花１の花梗部１５を取り付けて花飾基盤２に嵌合させてリングリース体２７を形成して、装着物２３としてのメダル５を取付け、花飾基盤２の上端部のフック穴１４に、リボンフック６または懸吊金具２９を掛け、花飾基盤２とメダル５を首掛けリボン９を着脱自在かつ同時懸吊でさせた正面図。
【図７】Ａ：花飾基盤２に、装着物２３としての装着されたメダル５の下方にも別メダル５を懸吊した正面図、Ｂ：花飾基盤２に装着物２３として装着されたメダル５の下方にさらに懸吊金具２９で別メダル５を懸吊し、挿花リース２８を嵌合させた正面図。
【図８】Ａ：挿花１を多数本植えつけて、花飾基盤２の外周溝１２の外側に嵌合装着したドーナツリース体１３を形成する途中図  Ｂ：挿花１を多数本植えつけ、花飾基盤２の外周溝１２の外側に嵌合装着したドーナツリース体１３を形成し、装着物２３を設置した別図。
【図９】Ａ：花飾基盤２の裏盤凹部１１において、フェノール系樹脂またはウレタン系樹脂または酢酸系樹脂粘土２４に挿花１を多数本植え込んでコサージ盛花２５を形成する途上の部分拡大図  Ｂ：花飾基盤２の裏盤凹部１１において、フェノール系樹脂またはウレタン系樹脂または酢酸系樹脂粘土２４に挿花１を多数本植え込み、コサージ盛花２５を形成し花飾基盤２の上部に首掛けリボン９を取付け、下部は外部の装着物２３としてのメダル５を懸吊の正面図。
【図１０】Ａ：花飾基盤２の表盤凹部１０の空間域１９に中空遊吊物１７としてのメダル５を懸吊金具２９により、首掛けリボン９で花飾基盤２とメダル５を着脱自在かつ同時懸吊させた正面図  Ｂ：図１０Ａの裏面図  Ｃ：中空遊吊物１７としての菓子缶３５を、懸吊金具２９と菓子缶蓋３６のフック穴１４により、花飾基盤２とメダル５を着脱自在に懸吊させた正面図 。
【図１１】Ａ：首掛けリボン９が交差する下方重複部分に鳩目穴を設け、挿花リース２８と中央部にコサージ盛花２１を形成した花飾基盤２を裏面よりリボン押盤２２で挟み合わせ、挟み捻子１８で係止して、下部はフック穴１４に懸吊金具２９を取付け、装着物２３としてのメダル５を懸吊した正面図  Ｂ：図１１Ａの裏面図
【図１２】Ａ：飾基盤２の装着物２３としてのコサージ盛花２１を裏盤凹部１１に吸着盤３３で吸着する途上の構成図  Ｂ：花飾基盤２に設けた挿花リース２８の中央部に、装着物２３としての吸着コサージ２６とすべく、吸着盤３３で吸着する途上の構成図  Ｃ：挿花リース２８と吸着コサージ２６と共に吸着盤３３により1体化してより大きなコサージ盛花２１となった正面図。
【図１３】Ａ：第３者による美的価値効果立証の為にアンケート用紙に基づいた設問表図。
【図１４】Ａ：写真設問Ａの回答集計図。 Ｂ: 写真設問Ｂの回答集計図。Ｃ：写真設問Ｂの回答集計図。 Ｄ：写真設問Ｃの回答集計図。
【図１５】Ａ：花飾基盤２に挿花リース２８を外周溝１２に取付けて、装着物２３としてのメダル5をリボンフック６で垂直懸吊した実施図  Ｂ：花飾基盤２に挿花リース２８を外周溝１２に取付けて装着物２３としてのキャラクターとともに水平展示した実施図  Ｃ：花飾基盤２の裏盤凹部１１に挿花１を多数本植え込みコサージ盛花２１を形成し、上部は首掛けリボン９を取付けて、下部は装着物２３としてのメダル５を懸吊して盾形スタンド２５に収めた実施図。
【発明を実施するための形態】
【００２２】
ここで挿花とは、草花を器に挿す全ての行為と挿されたものの総称である。
また挿花リースとは、花や葉や木の実などの植物素材を円形状に加工した形状事例で、ドーナツリース体やナチュラルリース体やリングリース体を指す。
【００２３】
ここで装着物とは、花飾基盤に装着または懸吊される装着物としての演出すべきメダルやオブジェやキャラクターや商品などの比較的小さい貴重で主役となる物品のことである。  
【００２４】
ここでコサージ盛花とは、挿花リースの装着物として花飾基盤の中央に装着される挿花の複合花の塊で、その外形寸法は概ね５ｃｍから３０ｃｍ程度である。
【００２５】
本発明は、多数の花弁および／または葉茎を有する挿花リース２８と、花飾基盤２に装着または懸吊される装着物２３からなる。  
【００２６】
花飾基盤２は、合成樹脂製および／またはガラス製で円形または非円形形状であり、花飾体３４の様々な形態を形成させる為に、表盤３は裏盤４よりひと回り大きく同素材で仕切られている。  
【００２７】
表盤３または裏盤４は、表盤凹部１０と裏盤凹部１１に装着物２３を装着または懸吊させる挿花リース２８の形状保持をさせる為の中心的基盤材である。
【００２８】
表盤３と裏盤４の間の外周溝１２により、様々な形態の挿花リース２８が花飾基盤２の外囲に沿って安定して取付けられる構造である。
【００２９】
花飾基盤２は、縦に懸吊もしくは水平に設置されて、表裏および／または下方にはひとつ以上の装着物２３が装着または懸吊されている。
【００３０】
花飾基盤２の表盤３より外径がひと回り大きな合成樹脂製および／またはガラス製の裏基盤３１が裏盤４の受け皿となることが構成手段となる花飾体３４とする。
【００３１】
花飾基盤２の上端部に懸吊金具２９またはフック穴１４を設けて、首掛けリボン９または首掛けレイで、花飾基盤２とメダル５を着脱自在に懸吊させたことが構成手段となる花飾体３４とする。
【００３２】
花飾基盤２の裏盤凹部１１の内周または外周に装着物２３をライトアップする為の、１２V程度のLED発光テープ３０を、１重または多重層に巻き込み装着したことが構成手段となる花飾体３４とする。
【００３３】
挿花リース２８が花飾基盤２の外周溝１２に沿って捻り巻き付けてなる、ナチュラルリース体１６が構成手段となる花飾体３４とする。
【００３４】
リング８の円周上に設けた多数突起２０に挿花１の花梗部１５を差し込み、花飾基盤２  の外周溝１２に嵌合したリングリース体２７が構成手段となる花飾体３４とする。
【００３５】
首掛けリボン９で懸吊した花飾基盤２に、装着物２３として装着された該花飾基盤２の下端に、さらに追加の装着物２３としてのメダル５を懸吊したことが構成手段となる花飾体３４とする。
【００３６】
挿花１を多数本植えつけた、フェノール系樹脂またはウレタン系樹脂または酢酸系樹脂粘土２４を、花飾基盤２の外周溝１２に嵌合装着したドーナツリース体１３の形成が構成手段となる花飾体３４とする。
【００３７】
裏盤凹部１１内のフェノール系樹脂またはウレタン系樹脂または酢酸系樹脂粘土２４に花梗部１５を有する挿花１を多数本植え込んだ小花群としてのコサージ盛花２１を形成し、花飾基盤２の上部は首掛けリボン９の懸吊金具２９を取付け、下部はフック穴１４に懸吊金具２９を取付けて、装着物２３としてのメダル５やフィギュアやマスコットの懸吊が構成手段となる花飾体３４とする。
【００３８】
挿花リース２８の中央にコサージ盛花２１を形成し、首掛けリボン９の下部の重複部分に鳩目穴を設け、花飾基盤２をリボン押盤２２で挟み合わせて挟み捻子１８で係止し、該花飾基盤２の下部はフック穴１４に懸吊金具２９を取付け、のメダル５やフィギュアやマスコットを懸吊したことが構成手段となる花飾体３４とする。
【００３９】
表盤凹部１０または裏盤凹部１１の空間域１９に、装着物２３としてのメダル５や中空遊吊物１７やマスコットなどの懸吊が構成手段となる花飾体３４とする。
【００４０】
花飾基盤２の表盤凹部10または裏盤凹部１１に、装着物２３としてのコサージ盛花２１を吸着盤３３により吸着コサージ26と共に吸着したことが構成手段となる花飾体３４とする。
【実施例】
【００４１】
図1５Ａは、花飾基盤２に挿花リース２８を外周溝１２に取付けて装着物２３としてのメダル5をリボンフック６で垂直懸吊した実施例である。
【００４２】
図1５Ｂは、花飾基盤２に挿花リース２８を外周溝１２に取付けて装着物２３としてのキャラクターと共に水平設置した実施例である。
【００４３】
図1５Cは、花飾基盤２の裏盤凹部１１に挿花１を多数本植え込みコサージ盛花２１を形
成し、上部は首掛けリボン９を取付け、下部は装着物２３としてのメダル５を懸吊して 盾
形スタンド２５に収めた実施例である。
【００４４】
また、第３者による美的価値効果の立証の為に、知人1６名にアンケート調査を実施した。
配布アンケート用紙に基づき、写真Ａ、写真Ｃ 、写真Ｃの３件のパターンを設問し、1点選択方式の回答が返脚されて下記の測定結果を得ることが出来た。  （図１３参照）
【００４５】
図１３の写真設問Aでは、オリンピック競技の表彰式などで、花飾体３４にメダルを装着物（２３）として首掛けリボン９を優勝選手の首に下げたり、展示盾を介してテーブルなどに設置することにより、ひと際鮮やかなディスプレー演出効果が上がるかの設問を実施した。  （図１３参照）
【００４６】
図１４Aの回答Aでは、大いに上がる１３/１６点、さほど上がらない３ /１６点、全く上がらない３ /１６点の好回答であった。  （図1４A参照）
【００４７】
図１３の写真設問Ｂでは、縫いぐるみやキャラクター人形などの装着物２３の周囲を飾り立てることにより、花飾体３４がバック空間やステージ空間となり鮮やかに浮きあがり展示効果が上がるかの設問をした。  （図１３参照）
【００４８】
図１４Ｂの回答Ｂでは、大いに上がる8/１６点、さほど上がらない6/１６点、全く上がらない３/１６点の好回答であった   （図1４Ｂ参照）
【００４９】
図１３の写真設問Cは、全国各地の観光みやげ品などにおいて、装着物２３自体の価値は、花飾体３４により展示の見栄えが相乗効果となって花飾商品として商品価値が上がるかの設問をした。  （図１３参照）
【００５０】
図１４Ｃの回答Ｃでは、大いに上がる１０/１６点、さほど上がらない５/１６点、全く上がらない０/１６点の好回答であった（図1４C参照）
【００５１】
以上の総合結果として、３１/４８点の過半数となり、本発明の花飾体３４は明らかに演出効果が上がり、美的価値を高める事が立証された。 （図１４Ａ、図1４Ｂ、図1４Cの集計表参照）
【産業上の利用可能性】
【００５２】
挿花１の魅力を最大限に活用し、挿花リース２８と花飾基盤２と装着物２３の演出構成は、装着物の存在価値を高めより華やかに魅せることで、生活関連のイベントだけでなくスポーツ界や芸界能や業界や式典業界や土産品や贈答業界で、新スタイルの演出に活用されて世界に広がる。
【符号の説明】
【００５３】
１  挿花              
２  花飾基盤            
３  表盤  
４  裏盤
５  メダル      
６  リボンフック
７  スタンド    
８  リング            
９  首掛けリボン  
１０  表盤凹部
１１  裏盤凹部      
１２  外周溝
１３  ドーナツリース体
１４  フック穴                
１５  花梗部                      
１６  ナチュラルリース体
１７  中空遊吊物    
１８  挟み捻子          
１９  リング空間域
２０  多数突起
２１  コサージ盛花
２２  リボン押盤
２３  装着物
２４  樹脂粘土
２５  盾形スタンド    
２６  吸着コサージ  
２７  リングリース体
２８  挿花リース
２９  懸吊金具
３０  LED発光テープ
３１  裏基盤
３２  リード電線
３３  吸着盤
３４  花飾体
３５  菓子缶
３６  菓子缶蓋
【図１】
2018071029.tif 000003
【図２】
2018071029.tif 000004
【図３】
2018071029.tif 000005
【図４】
2018071029.tif 000006
【図５】
2018071029.tif 000007
【図６】
2018071029.tif 000008
【図７】
2018071029.tif 000009
【図８】
2018071029.tif 000010
【図９】
2018071029.tif 000011
【図１０】
2018071029.tif 000012
【図１１】
2018071029.tif 000013
【図１２】
2018071029.tif 000014
【図１３】
2018071029.tif 000015
【図１４】
2018071029.tif 000016
【図１５】
2018071029.tif 000017